【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
複数の識別情報を変動表示可能な可変表示手段を備え、該可変表示手段で変動表示を行った後に遊技者の停止操作に応じて該変動表示を停止させることで結果表示を導出可能であり、該結果表示に応じた特典を付与可能な遊技機であって、
遊技者にとって有利度合いの異なる複数段階の設定値から一の設定値を決定可能な設定値変更手段と、
当籤役を決定可能な役決定手段と、
遊技者にとって有利な停止操作態様を報知可能な報知手段と、
遊技者に有利な特定遊技状態に制御可能な特定遊技状態に制御可能な特定遊技状態制御手段と、
所定の演出を実行可能な演出実行手段と、
を備え、
前記特定遊技状態には、
前記役決定手段により特定役が当籤役として決定されたことに応じて、当該特定遊技状態を延長可能な第１特定遊技状態、および
前記役決定手段により前記特定役が当籤役として決定されたとしても、当該特定遊技状態が延長されないかまたは延長される期待値が前記第１特定遊技状態よりも小さい第２特定遊技状態が含まれており、
前記演出実行手段は、
前記第２特定遊技状態において前記特定役が当籤役として決定された場合、前記設定値変更手段により決定された前記一の設定値を示唆する設定示唆演出を実行可能であり、
前記役決定手段は、
所定役を当籤役として決定可能であり、
前記停止制御手段は、
前記所定役が当籤役として決定された場合に、所定の結果表示を導出可能であり、
前記特定役が当籤役として決定された場合に、第１の停止操作態様で停止操作がされたときには前記所定の結果表示を導出可能、かつ、第２の停止操作態様で停止操作がされたときには特定の結果表示を導出可能であり、
前記報知手段は、
前記第２特定遊技状態において前記特定役が当籤役として決定された場合に前記設定示唆演出が実行されない場合は、前記第１の停止操作態様で停止操作を行う旨の報知を実行可能であり、
前記演出実行手段は、
前記設定示唆演出を、前記第２特定遊技状態が終了する場合に実行可能である
ことを特徴とする遊技機。
【請求項２】
複数の識別情報を変動表示可能な可変表示手段を備え、該可変表示手段で変動表示を行った後に遊技者の停止操作態様に応じて該変動表示を停止させることで結果表示を導出可能であり、該結果表示に応じた特典を付与可能な遊技機であって、
遊技者にとって有利度合いの異なる複数段階の設定値から一の設定値を決定可能な設定値変更手段と、
当籤役を決定可能な役決定手段と、
遊技者にとって有利な停止操作態様を報知可能な報知手段と、
遊技者に有利な特定遊技状態に制御可能な特定遊技状態に制御可能な特定遊技状態制御手段と、
所定の演出を実行可能な演出実行手段と、
を備え、
前記特定遊技状態には、
前記役決定手段により特定役が当籤役として決定されたことに応じて、当該特定遊技状態を延長可能な第１特定遊技状態、および
前記役決定手段により前記特定役が当籤役として決定されたとしても、当該特定遊技状態が延長されないかまたは延長される期待値が前記第１特定遊技状態よりも小さい第２特定遊技状態が含まれており、
前記演出実行手段は、
前記第２特定遊技状態の所定の単位遊技において前記特定役が当籤役として決定された場合、当該所定の単位遊技よりも後のタイミングで前記設定値変更手段により決定された前記一の設定値を示唆する設定示唆演出を実行可能であり、
前記役決定手段は、
所定役を当籤役として決定可能であり、
前記停止制御手段は、
前記所定役が当籤役として決定された単位遊技で、所定の結果表示を導出可能であり、
前記特定役が当籤役として決定された単位遊技で、第１の停止操作態様で停止操作がされたときには前記所定の結果表示を導出可能、かつ、第２の停止操作態様で停止操作がされたときには特定の結果表示を導出可能であり、
前記報知手段は、
前記第２特定遊技状態において前記特定役が当籤役として決定されたときに、当該単位遊技での前記特定役の当籤に基づいて当該単位遊技よりも後のタイミングで前記設定示唆演出が実行されるものとならない場合は、前記第１の停止操作態様で停止操作を行う旨の報知を実行可能であり、
前記演出実行手段は、
前記設定示唆演出を、前記第２特定遊技状態が終了する場合に実行可能である
ことを特徴とする遊技機。
【手続補正２】
【補正対象書類名】明細書
【補正対象項目名】０００６
【補正方法】変更
【補正の内容】
【０００６】
（１）本発明に係る遊技機は、
複数の識別情報を変動表示可能な可変表示手段（例えば、リール３Ｌ，３Ｃ，３Ｒ）を備え、該可変表示手段で変動表示を行った後に遊技者の停止操作に応じて該変動表示を停止させることで結果表示を導出可能であり、該結果表示に応じた特典を付与可能な遊技機であって、
遊技者にとって有利度合いの異なる複数段階の設定値から一の設定値を決定可能な設定値変更手段（例えば、リセットスイッチ７６及び設定用鍵型スイッチ５４）と、
当籤役を決定可能な役決定手段（例えば、内部抽籤処理を実行可能なメインＣＰＵ１０１）と、
遊技者にとって有利な停止操作態様を報知可能な報知手段（例えば、指示モニタ）と、
遊技者に有利な特定遊技状態（例えば、ＡＴ）に制御可能な特定遊技状態制御手段（例えば、ＡＴ状態管理処理を実行するメインＣＰＵ）と、
所定の演出を実行可能な演出実行手段（例えば、サブＣＰＵ２０１）と、
を備え、
前記特定遊技状態には、
前記役決定手段により特定役が当籤役として決定されたことに応じて、当該特定遊技状態を延長可能な第１特定遊技状態（例えば、ＡＴ）、および
前記役決定手段により前記特定役が当籤役として決定されたとしても、当該特定遊技状態が延長されないかまたは延長される期待値が前記第１特定遊技状態よりも小さい第２特定遊技状態（例えば、エンディング状態）が含まれており、
前記演出実行手段は、
前記第２特定遊技状態において前記特定役が当籤役として決定された場合、前記設定値変更手段により決定された前記一の設定値を示唆する設定示唆演出を実行可能であり、
前記役決定手段は、
所定役（例えば、３２１ベルＡや３２１ベルＢ）を当籤役として決定可能であり、
前記停止制御手段は、
前記所定役（例えば、３２１ベルＡや３２１ベルＢ）が当籤役として決定された場合に、所定の結果表示（例えば、７枚入賞役）を導出可能であり、
前記特定役（例えば、中段チェリー）が当籤役として決定された場合に、第１の停止操作態様（例えば、右リール第１停止）で停止操作がされたときには前記所定の結果表示（例えば、７枚入賞役）を導出可能、かつ、第２の停止操作態様（例えば、左・中リール第１停止）で停止操作がされたときには特定の結果表示（例えば、中段チェリー）を導出可能であり、
前記報知手段は、
前記第２特定遊技状態（例えば、エンディング状態）において前記特定役が当籤役として決定された場合に前記設定示唆演出が実行されない場合は、前記第１の停止操作態様で停止操作を行う旨の報知を実行可能であり、
前記演出実行手段は、
前記設定示唆演出を、前記第２特定遊技状態（例えば、エンディング状態）が終了する場合に実行可能である
ことを特徴とする。
【手続補正３】
【補正対象書類名】明細書
【補正対象項目名】０００８
【補正方法】変更
【補正の内容】
【０００８】
（２）本発明に係る遊技機は、
複数の識別情報を変動表示可能な可変表示手段（例えば、リール３Ｌ，３Ｃ，３Ｒ）を備え、該可変表示手段で変動表示を行った後に遊技者の停止操作態様に応じて該変動表示を停止させることで結果表示を導出可能であり、該結果表示に応じた特典を付与可能な遊技機であって、
遊技者にとって有利度合いの異なる複数段階の設定値から一の設定値を決定可能な設定値変更手段（例えば、リセットスイッチ７６及び設定用鍵型スイッチ５４）と、
当籤役を決定可能な役決定手段（例えば、内部抽籤処理を実行可能なメインＣＰＵ１０１）と、
遊技者にとって有利な停止操作態様を報知可能な報知手段（例えば、指示モニタ）と、
遊技者に有利な特定遊技状態（例えば、ＡＴ）に制御可能な特定遊技状態制御手段（例えば、ＡＴ状態管理処理を実行するメインＣＰＵ）と、
所定の演出を実行可能な演出実行手段（例えば、サブＣＰＵ２０１）と、
を備え、
前記特定遊技状態には、
前記役決定手段により特定役が当籤役として決定されたことに応じて、当該特定遊技状態を延長可能な第１特定遊技状態（例えば、ＡＴ）、および
前記役決定手段により前記特定役が当籤役として決定されたとしても、当該特定遊技状態が延長されないかまたは延長される期待値が前記第１特定遊技状態よりも小さい第２特定遊技状態（例えば、エンディング状態）が含まれており、
前記演出実行手段は、
前記第２特定遊技状態の所定の単位遊技において前記特定役が当籤役として決定された場合、当該所定の単位遊技よりも後のタイミングで前記設定値変更手段により決定された前記一の設定値を示唆する設定示唆演出を実行可能であり、
前記役決定手段は、
所定役（例えば、３２１ベルＡや３２１ベルＢ）を当籤役として決定可能であり、
前記停止制御手段は、
前記所定役（例えば、３２１ベルＡや３２１ベルＢ）が当籤役として決定された単位遊技で、所定の結果表示（例えば、７枚入賞役）を導出可能であり、
前記特定役（例えば、中段チェリー）が当籤役として決定された単位遊技で、第１の停止操作態様（例えば、右リール第１停止）で停止操作がされたときには前記所定の結果表示（例えば、７枚入賞役）を導出可能、かつ、第２の停止操作態様（例えば、左・中リール第１停止）で停止操作がされたときには特定の結果表示（例えば、中段チェリー）を導出可能であり、
前記報知手段は、
前記第２特定遊技状態（例えば、エンディング状態）において前記特定役が当籤役として決定されたときに、当該単位遊技での前記特定役の当籤に基づいて当該単位遊技よりも後のタイミングで前記設定示唆演出が実行されるものとならない場合は、前記第１の停止操作態様で停止操作を行う旨の報知を実行可能であり、
前記演出実行手段は、
前記設定示唆演出を、前記第２特定遊技状態（例えば、エンディング状態）が終了する場合に実行可能である
ことを特徴とする。
【手続補正４】
【補正対象書類名】明細書
【補正対象項目名】１８７９
【補正方法】変更
【補正の内容】
【１８７９】
ところで、本例では、上述のとおり、エンディング待機状態、エンディング演出状態Ａまたはエンディング演出状態Ｂの画面が表示されているとき（すなわちリミッタ到達確定状態中）にレア役等に当籤した場合に、上乗せ抽籤を実行しないことによる遊技者のガッカリ感を抑制させるために内部設定情報の示唆を行う仕様としているが、そもそも、レア役等に当籤したことを遊技者に察知されないようにしてもよい。例えば本例では、図１３１に示されるように、特殊役または中段チェリーに当籤した場合に、賞として払い出される遊技価値（例えばメダル数）が同じである「Ｃ＿３１２ベル」または／および「Ｃ＿３２１ベル」の条件装置を成立させて、所定条件が成立したときに（例えば設定示唆演出が行われないとき等に）、「Ｃ＿３１２ベル」または／および「Ｃ＿３２１ベル」が入賞するように押し順ナビを行うようにしてもよい。これにより、レア役等に当籤したことを秘匿にして特殊役または中段チェリーに当籤したことが察知されないようにすることが可能となる。